(57)【特許請求の範囲】
【請求項１】
配線・配管材の配設経路に沿って壁面に配置され、該配線・配管材を内部に収容する筒状の長尺保護体と、
前記長尺保護体の一端部が接続される接続口を備え、前記配線・配管材を内部に収容する接続体と、
前記接続体の接続口に取着される筒状のブッシングと、
からなる配線・配管材の引出部形成装置であって、
前記接続体の接続口は、前記長尺保護体の外壁面に沿う内面を有し、
前記ブッシングは、前記接続体の接続口内に内挿されて該接続口に取着される接続口取着部と、取着された状態で前記接続口から突出し、前記配線・配管材を引き出す引出口が先端に形成された引出口形成部と、前記接続口取着部側に設けられ、前記長尺保護体の内部に挿入可能な断面形状を有する内挿部と、を備え、
前記接続体の接続口に前記ブッシングの接続口取着部を内挿して取着することで、前記接続体から引き出される前記配線・配管材の引出部が形成されるとともに、
前記長尺保護体の他端部に前記ブッシングの内挿部を内挿して取着することで、前記長尺保護体の他端部から引き出される前記配線・配管材の引出部が形成されることを特徴とする配線・配管材の引出部形成装置。
【請求項２】
前記ブッシングの接続口取着部は、更に、前記内挿部の先端部に、外部に突出し前記接続体の接続口に係止して該接続口からの離脱を防止する係止部が延設され、
前記接続体の接続口は、前記内面より奥側に、前記ブッシングの係止部が係止する被係止部が設けられ、
前記ブッシングの接続口取着部を前記接続体の接続口に内挿し前記係止部を前記被係止部に係止させることで、前記接続体に前記ブッシングが取着されるとともに、
前記ブッシングの係止部を切除することにより前記内挿部が前記接続口取着部側の最端部と成ることを特徴とする請求項１に記載の配線・配管材の引出部形成装置。
【請求項３】
前記接続体の被係止部は、前記接続口の内面より奥側で該内面よりも内部側に突出する突出部で形成されたことを特徴とする請求項２に記載の配線・配管材の引出部形成装置。
【請求項４】
前記ブッシングの接続口取着部は、前記接続体の接続口の内面に沿うように、前記長尺保護体の外壁面と近似する外面形状からなる長尺保護体外壁面近似部を有することを特徴とする請求項１乃至請求項３のいずれかに記載の配線・配管材の引出部形成装置。
【請求項５】
前記ブッシングの内挿部は、前記長尺保護体の内壁面と近似する外面形状からなる長尺保護体内壁面近似部を有することを特徴とする請求項１乃至請求項４のいずれかに記載の配線・配管材の引出部形成装置。
【請求項６】
配線・配管材の配設経路に沿って壁面に配置され、該配線・配管材を内部に収容する筒状に形成された大きさの異なる大小二種類のサイズの長尺保護体と、
前記長尺保護体の一端部が接続される接続口を備え、前記配線・配管材を内部に収容する接続体と、
前記接続体の接続口に取着される筒状のブッシングと、
からなる配線・配管材の引出部形成装置であって、
前記接続体の接続口は、先端側に、前記大サイズの長尺保護体の外壁面に沿う内面を有するとともに、該内面より奥側に、前記接続口の内面よりも内部側に突出し前記小サイズの長尺保護体の外壁面に沿う端面を先端に備えた突出部を有し、
前記ブッシングは、
前記接続体の接続口内に内挿されて該接続口に取着される接続口取着部と、取着された状態で前記接続口から突出し、前記配線・配管材を引き出す引出口が先端に形成された引出口形成部とを備え、
前記接続口取着部に、外部に突出し前記接続体の接続口に係止して該接続口からの離脱を防止する係止部が設けられ、
前記接続口取着部における前記係止部より前記引出口形成部側の部分に、前記接続体の接続口の突出部の端面に沿い前記小サイズの長尺保護体の外壁面と近似する外面形状を有する小サイズ外壁面近似部が設けられ、
更に、前記小サイズ外壁面近似部と前記引出口形成部との間に、前記大サイズの長尺保護体の内部に挿入可能な断面形状を有する内挿部が設けられており、
前記接続体の接続口に前記ブッシングの接続口取着部を内挿し、前記接続体の突出部に前記ブッシングの係止部を係止させて、前記接続体に前記ブッシングを取着することで、前記接続体から引き出される前記配線・配管材の引出部が形成されるとともに、
前記ブッシングの接続口取着部の係止部及び小サイズ外壁面近似部を切除することにより前記内挿部を前記接続口取着部側の最端部と成し、前記大サイズの長尺保護体の他端部に前記内挿部を内挿して取着することで、該大サイズの長尺保護体の他端部から引き出される前記配線・配管材の引出部が形成されることを特徴とする配線・配管材の引出部形成装置。
【請求項７】
前記ブッシングの内挿部は、前記大サイズの長尺保護体の内壁面と近似する外面形状からなる長尺保護体内壁面近似部を有することを特徴とする請求項６に記載の配線・配管材の引出部形成装置。
【発明の詳細な説明】
【技術分野】
【０００１】
本発明は、壁孔等から引き出されるケーブル、給水管等の配線・配管材の引出箇所を覆って保護する引出部を形成する、配線・配管材の引出部形成装置に関するものである。
【背景技術】
【０００２】
壁孔から引き出されて壁面側に曲げられるケーブルの引出屈曲箇所にはケーブルを保護するための引出具等の接続体が設置されている。この接続体においては、壁孔から引き出されたケーブルの引出屈曲箇所を覆った後直ちに露出配線する場合に、接続体における引出口である接続口に端末保護部材が取付けられることが多い。例えば、特許文献１の接続体である引出具では、その接続口である導出口に端末保護部材としての端末ブッシングが取付けられる。この端末ブッシングは、引出具の導出口から引き出されたケーブルが導出口の周縁で擦れたり導出口において急激に折り曲げられることにより、被覆面に亀裂が入ったりしてケーブルが損傷するのを防止する。
【０００３】
一方、ケーブルの配線経路によっては、壁孔から引き出された屈曲箇所から直ちに露出配線するのではなく、引出具等の接続体の引出口である接続口にサヤ管、保護管等の長尺保護体を接続し、露出させる位置まで一旦長尺保護体内に配線した後、長尺保護体の引出開口から引き出して露出配線する場合もある。この場合、長尺保護体の引出開口には、長尺保護体の引出開口の周縁との擦れや急激な折り曲げによりケーブルが損傷するのを防止するために、同様に、端末保護部材が取付けられる。例えば、特許文献２には、長尺保護体である保護管の引出開口に取着される端末保護部材としての管取着体が記載されている。
【先行技術文献】
【特許文献】
【０００４】
【特許文献１】特開２００９−２４０１１５号公報（図１１，段落００１４〜００１８）
【特許文献２】特開２００６−２３８６７２号公報
【発明の概要】
【発明が解決しようとする課題】
【０００５】
しかし、従来の配線・配管材の引き出しにおいては、壁孔から引き出された屈曲箇所から直ちに露出配線する場合に引出具等の接続体の接続口に取着される端末部材、及び壁孔から引き出されてから一旦サヤ管等の長尺保護体内に配線した後長尺保護体から引き出して露出配線する場合に長尺保護体の接続口に取着される端末部材は、接続体の接続口及び長尺保護体の引出開口に対してそれぞれ専用のものが取付けられていた。このため、接続対象に応じて二種類の端末保護部材を用意しなければならず、その取り扱いや部品管理が煩雑で面倒であり、コスト高ともなっていた。
【０００６】
そこで、本発明は、壁孔に取着される接続体の接続口及び長尺保護体の引出開口のいずれに対しても一種類の端末保護部材を兼用して取着して配線・配管材を保護する引出部を形成できる配線・配管材の引出部形成装置の提供を課題とするものである。
【課題を解決するための手段】
【０００７】
本発明の配線・配管材の引出部形成装置は、配線・配管材の配設経路に沿って壁面に配置され、該配線・配管材を内部に収容する筒状の長尺保護体と、前記長尺保護体の一端部が接続される接続口を備え、前記配線・配管材を内部に収容する接続体と、前記接続体の接続口に取着される筒状のブッシングと、からなる。
更に、前記接続体の接続口は、前記長尺保護体の外壁面に沿う内面を有する。
また、前記ブッシングは、前記接続体の接続口内に内挿されて該接続口に取着される接続口取着部と、取着された状態で前記接続口から突出し、前記配線・配管材を引き出す引出口が先端に形成された引出口形成部と、前記接続口取着部側に設けられ、前記長尺保護体の内部に挿入可能な断面形状を有する内挿部と、を備えている。
そして、前記接続体の接続口に前記ブッシングの接続口取着部を内挿して取着することで、前記接続体から引き出される前記配線・配管材の引出部が形成されるとともに、前記長尺保護体の他端部に前記ブッシングの内挿部を内挿して取着することで、前記長尺保護体の他端部から引き出される前記配線・配管材の引出部が形成されるものである。
【０００８】
ここで、前記ブッシングの接続口取着部は、更に、前記内挿部の先端部に、外部に突出し前記接続体の接続口に係止して該接続口からの離脱を防止する係止部が延設され、前記接続体の接続口は、前記内面より奥側に、前記ブッシングの係止部が係止する被係止部が設けられ、前記ブッシングの接続口取着部を前記接続体の接続口に内挿し前記係止部を前記被係止部に係止させることで、前記接続体に前記ブッシングが取着されるとともに、前記ブッシングの係止部を切除することにより前記内挿部が前記接続口取着部側の最端部と成るものとすることもできる。
更には、前記接続体の被係止部は、前記接続口の内面より奥側で該内面よりも内部側に突出する突出部で形成されたものとしてもよい。
【０００９】
加えて、前記ブッシングの接続口取着部は、前記接続体の接続口の内面に沿うように、前記長尺保護体の外壁面と近似する外面形状からなる長尺保護体外壁面近似部を有するものとすることもできる。
そして、前記ブッシングの内挿部は、前記長尺保護体の内壁面と近似する外面形状からなる長尺保護体内壁面近似部を有するものとすることもできる。
【００１０】
また、本発明の配線・配管材の引出部形成装置は、前記長尺保護体が、特に、大きさの異なる大小二種類のサイズを有するものであり、接続体の接続口が、先端側に、前記大サイズの長尺保護体の外壁面に沿う内面を有するとともに、該内面より奥側に、接続口の内面よりも内部側に突出し前記小サイズの長尺保護体の外壁面に沿う端面を先端に備えた突出部を有し、前記ブッシングが、特に、前記接続口取着部に、外部に突出し前記接続体の接続口に係止して該接続口からの離脱を防止する係止部が設けられ、前記接続口取着部における前記係止部より前記引出口形成部側の部分に、前記接続体の接続口の突出部の端面に沿い前記小サイズの長尺保護体の外壁面と近似する外面形状を有する小サイズ外壁面近似部が設けられ、前記小サイズ外壁面近似部と前記引出口形成部との間に、前記大サイズの長尺保護体の内部に挿入可能な断面形状を有する内挿部が設けられたものとすることができる。
ここで、前記ブッシングの内挿部は、前記大サイズの長尺保護体の内壁面と近似する外面形状からなる長尺保護体内壁面近似部を有するものとすることもできる。
【発明の効果】
【００１１】
本発明は、ブッシングが、接続体の接続口内に内挿されて接続口に取着される接続口取着部を備えるとともに、長尺保護体の内部に挿入可能な断面形状を有する内挿部を備えているから、一種類のブッシングを兼用して取着して、接続体から引き出される配線・配管材の引出部を形成できるとともに、長尺保護体の他端部から引き出される配線・配管材の引出部を形成できる。これにより、ブッシングの取り扱いや管理が楽になり、コストも低減できる。
しかも、接続体の接続口は、長尺保護体の外壁面に沿う内面を有しているので、接続体の接続口の内面と長尺保護体の外壁面との間が閉塞され両者間に隙間を生じない。これにより、外部から接続体及び長尺保護体の内部に塵埃等が侵入するのを防止できる。
【００１２】
ブッシングの接続口取着部は、更に、内挿部の先端部に、接続体の接続口からの離脱を防止する係止部が延設され、接続体の接続口は、ブッシングの係止部が係止する被係止部が設けられたものでは、係止部を被係止部に係止させることで、ブッシングを接続体に取着でき、取着後はブッシングが接続体から離脱するのを防止できる。そして、ブッシングの係止部を切除することにより内挿部が接続口取着部側の最端部と成るので、係止部を切除して内挿部を長尺保護体の他端部に内挿し、ブッシングを長尺保護体に取着することができる。
また、接続体の被係止部が、接続口の内面よりも内部側に突出する突出部で形成されているものでは、簡易な構成で簡単に被係止部を形成できる。
【００１３】
ブッシングの接続口取着部が、接続体の接続口の内面に沿うように、長尺保護体の外壁面と近似する外面形状からなる長尺保護体外壁面近似部を有するものでは、ブッシングの長尺保護体外壁面近似部を接続体の接続口に挿入したときに、ブッシングの接続口取着部の外面と接続体の接続口の内面との間に隙間を生じないから、外部からブッシング及び接続体の内部に塵埃等が侵入するのを防止できる。そして、ブッシングを長尺保護体に取着したとき、ブッシングの長尺保護体外壁面近似部を有する接続口取着部の外面と長尺保護体の外壁面とは略均一面となるので、その取着部はすっきりと見栄えのよい外観が得られる。
また、ブッシングの内挿部が、長尺保護体の内壁面と近似する外面形状からなる長尺保護体内壁面近似部を有するものでは、ブッシングの内挿部を長尺保護体の内部に挿入したときに、ブッシングの内挿部の外面と長尺保護体の内壁面との間に隙間を生じないから、外部からブッシング及び長尺保護体の内部に塵埃等が侵入するのを防止できる。
【００１４】
長尺保護体が、大きさの異なる大小二種類のサイズを有するものであり、接続体の接続口が、大サイズの長尺保護体の外壁面に沿う内面を有し、接続口の内面よりも内部側に突出し小サイズの長尺保護体の外壁面に沿う端面を先端に備えた突出部を有するとともに、ブッシングが、その接続口取着部に、接続体の接続口の突出部の内面に沿い小サイズの長尺保護体の外壁面と近似する外面形状を有する小サイズ外壁面近似部が設けられたものでは、接続体の接続口に大小二種類のサイズの長尺保護体を取着できるとともに、接続体の接続口の内面と大サイズの長尺保護体の外壁面との間、接続体の突出部の端面と小サイズの長尺保護体の外壁面との間、及び接続体の接続口の内面とブッシングの小サイズ外壁面近似部との間に隙間を生じないから、外部から各構成部材内に塵埃等が侵入するのを防止できる。
ブッシングの内挿部が、大サイズの長尺保護体の内壁面と近似する外面形状からなる長尺保護体内壁面近似部を有するものでは、ブッシングの内挿部を大サイズの長尺保護体の内部に挿入したときに、ブッシングの内挿部の外面と大サイズの長尺保護体の内壁面との間に隙間を生じないから、外部からブッシング及び大サイズの長尺保護体の内部に塵埃等が侵入するのを防止できる。
【図面の簡単な説明】
【００１５】
【図１】本発明の実施形態の配線・配管材の引出部形成装置を示す正面図である。
【図２】図１の接続体を示し、(a)は正面側から見た斜視図、(b)は背面側から見た斜視図である。
【図３】図１の接続体を示し、(a)は正面図、(b)は右側面図、(c)は底面図、(d)は(a)のＡ−Ａ切断線による断面図、(e)は(a)のＢ−Ｂ切断線による断面図、(f)は(a)のＣ−Ｃ切断線による断面図、(g)は(d)の基台に蓋体を組付ける状態を示す側面図である。
【図４】図２の基台を示し、(a)は正面側から見た斜視図、(b)は背面側から見た斜視図である。
【図５】図２の蓋体を示し、(a)は斜め下方から見た斜視図、(b)は斜め上方から見た斜視図、(c)は平面図、(d)は正面図、(e)は右側面図である。
【図６】図１のブッシングを示し、(a)は正面側から見た斜視図、(b)は背面側から見た斜視図である。
【図７】図１のブッシングを示し、(a)は平面図、(b)は正面図、(c)は右側面図、(d)は背面図、(e)は底面図、(f)は(b)のＤ−Ｄ切断線による断面図、(g)は(b)のＥ−Ｅ切断線による断面図、(h)は(b)のＦ−Ｆ切断線による断面図である。
【図８】図１の大サイズの長尺保護体を示し、(a)は斜視図、(b)は正面図である。
【図９】図１の小サイズの長尺保護体を示し、(a)は斜視図、(b)は正面図である。
【図１０】接続体にブッシングを取着した状態を示し、(a)は斜視図、(b)は左側面図、(c)は正面図、(d)は(b)のＧ−Ｇ切断線による断面図、(e)は(c)のＨ−Ｈ切断線による断面図、(f)は(c)のＩ−Ｉ切断線による断面図、(g)は(c)のＪ−Ｊ切断線による断面図である。
【図１１】接続体に大サイズの長尺保護体を取着し、この長尺保護体にブッシングを取着した状態を示し、(a)は正面図、(b)は背面図、(c)は(a)のＫ−Ｋ切断線による断面図、(d)は(a)のＬ−Ｌ切断線による断面図である。
【図１２】接続体に小サイズの長尺保護体を取着した状態を示し、(a)は背面図、(b)は(a)のＭ−Ｍ切断線による断面図ある。
【図１３】接続体にブッシングを取着した別の状態を示す背面図である。
【図１４】別の接続体に別のブッシングを取着した状態を示す背面図である。
【発明を実施するための形態】
【００１６】
以下、本発明の実施形態の配線・配管材の引出部形成装置を図に基づいて説明する。
図１において、引出部形成装置１は、配線・配管材の引出箇所を覆って保護する引出部を形成するものである。引出部形成装置１は、配線・配管材としてのケーブルＣの配設経路に沿って壁面７１に配置されてケーブルＣを内部に収容する筒状に形成された大きさの異なる大小二種類のサイズの長尺保護体即ち大サイズの長尺保護体５１及び小サイズの長尺保護体５２と、前記長尺保護体の一端部５３が接続される接続口１２を備えて壁孔７２から引き出されたケーブルＣを内部に収容する接続体１１と、接続体１１の接続口１２に取着される筒状のブッシング３１とからなる。この引出部形成装置１は、接続体１１に対してはブッシング３１及び大小の長尺保護体が選択的に接続されるものとなっており、ブッシング３１からみれば、接続体１１及び大サイズの長尺保護体５１に選択的に取着されるものとなっている。ここで、ケーブルＣを保護する引出部は、壁孔７２に設置された接続体１１の接続口１２からケーブルＣが引き出される部分の他、長尺保護体の引出開口５５からケーブルＣが引き出される部分がある。
【００１７】
各構成部材を詳細に説明すると、まず、この引出部形成装置１を構成する接続体１１は、壁孔７２から引き出されるケーブルＣの屈曲部を覆うように保護し、ケーブルＣを壁面７１に沿うように配線すべく、１つの接続口１２が形成されている。接続体１１は、図２及び図３に示すように、基台１４と蓋体２１との２分割体で構成されており、これらを組付けることにより、下面を除いて全体が略袋状に形成されている。接続体１１の下端部は、下面が開口し、この開口１３から長尺保護体の一端部５３及びブッシング３１の後述する接続口取着部３２が選択的に挿入される接続口１２となっており、接続体１１に長尺保護体及びブッシング３１が選択的に取着されるようになっている。  
【００１８】
前記基台１４は、図４に示すように、略平板状に形成され、上部に、壁孔７２から引き出されたケーブルＣが接続体１１の内部に引き込まれる引込口１５が設けられている。引込口１５は丸孔で形成されている。なお、図示しないが、引込口１５は、壁孔７２側に突出しケーブルＣが挿通する筒状の導入管を突設したもので形成してもよい。基台１４の壁面７１と対向する背面１６は平坦面からなり壁面７１と当接する当接面となっている。基台１４の下部には、壁面７１に固定するための固定螺子が挿通される挿通孔１７が設けられている。引込口１５と挿通孔１７との間には内部空間側を凸とする湾曲通路１８が形成されており、引込口１５から引き込まれたケーブルＣが緩やかに屈曲して下端の開口１３に導かれるようになっている。基台１４の図４における下端部は平板状の突片１９が下方に延びているとともに、突片１９の基部にはこの突片１９を折取り可能な直線状の切込溝１９ａが形成されている。基台１４の周縁の適宜箇所には、側方に僅かに突出する係合フランジ２０が設けられている。
【００１９】
一方、蓋体２１は、図５に示すように、内部がケーブルＣを収容する収容空間となっているとともに、基台１４との対向面及び下端面２４ａは開口し、下端面側は接続口１２を形成している。接続口１２には長尺保護体が内挿されて取着されるようになっており、接続口１２における内側三面からなる内面２２は後述する大サイズの長尺保護体５１の外壁面５６に沿う形状に形成されている。接続口１２において開口１３から所定距離奥方に入った位置の左右の側面２３には内面２２よりも内部側に突出する突出部２４が設けられている。この突出部２４は、両側面２３に沿って内部側に小さく突出する突片で形成され、その先端の端面２４ａは後述する小サイズの長尺保護体５２の外壁面５６に沿うものとなっている。蓋体２１における基台１４と対向する側の開口の周縁部には、基台１４の係合フランジ２０と対向する位置にこの係合フランジ２０と係合する係合突起２６が設けられている。
【００２０】
蓋体２１は、図３(g)に示すように、基台１４と対向する開口側を基台１４に対してその前方からあてがった後、基台１４の背面に沿って僅かに平行移動させて基台１４の係合フランジ２０と蓋体２１の係合突起２６とを係合させることにより基台１４に着脱自在に組付けられる。このようにして組付けられた接続体１１は、壁孔７２から引き出されたケーブルＣが引込口１５から内部の収容空間内に引き込まれた後、下端の開口１３から引き出される。
【００２１】
次に、ブッシング３１は、全体が略筒状に形成され、エラストマーで一体に形成され、内部にケーブルＣを収容する端末保護部材である。ブッシング３１は、図６及び図７に示すように、接続体１１の接続口１２内に挿入されて取着される接続口取着部３２と、取着された状態で接続口１２から突出し、ケーブルＣを引き出す引出口４３を先端に有する引出口形成部３３と、接続口取着部３２における後述する小サイズ外壁面近似部３８と引出口形成部３３との間に設けられ、大サイズの長尺保護体５１の内部に挿入可能な断面形状を有する内挿部３４とを備えている。接続口取着部３２は、内挿部３４を挟んで取着側即ち図７(b)の上側の接続口取着部３２ａと引出口形成部３３側即ち図７(b)の下側の接続口取着部３２ｂとに分離されているが、いずれも接続体１１への接続部分を構成する。
【００２２】
ブッシング３１における壁面７１と対向する背面３５は、平坦面からなり壁面７１と当接する当接面となっているとともに、上下方向に向かう中心線上に切割溝３６が形成されており、カッター等で背面３５を切割溝３６に沿って切断することにより背面３５全長に至って切割スリットを形成できるようになっている。この切割スリットを中心に背面３５を左右に拡開すれば、切割スリットの形成箇所には所定幅の切割開口が形成されるので、その切割開口からケーブルＣをブッシング３１内に挿入し収容させることができる。実際には、壁孔７２から引き出されたケーブルＣの上方からブッシング３１をあてがって押し付けるだけで、切割スリットは両側に拡開し、ブッシング３１内にケーブルＣを収容することができる。但し、ブッシング３１は、切割溝３６を切断しない場合は、上部の接続口取着部３２の開口からケーブルＣを挿通して下端部の引出口４３から引き出すこともできる。
【００２３】
なお、ブッシング３１は、水平断面が略Ｃ字状に形成されて、背面３５に所定幅の開口が上下方向に連続して形成されたものであってもよい。このブッシング３１の場合、背面３５に所定幅の開口が形成され、不完全な筒状となっているものの、背面３５の所定幅の開口は壁面７１との当接によって閉塞されるので、前述の完全に筒状に形成されているブッシング３１と同様に内部のケーブルＣを保護できる。請求項の「筒状」のブッシングには、この背面３５に所定幅の開口を有する筒状のブッシングも含まれる。
【００２４】
更に、ブッシング３１における図７(b)の上側の接続口取着部３２ａには、外側に突出し接続体１１の突出部２４に係止して接続口１２からの離脱を防止する左右一対の係止部３７，３７が設けられている。係止部３７は楔状をなし、上側の接続口取着部３２ａの両側面に設けられている。接続口取着部３２ａにおける係止部３７より引出口形成部３３側の部分には、接続体１１の突出部２４の端面２４ａに沿い小サイズの長尺保護体５２の外壁面５６と近似する外面形状を有する小サイズ外壁面近似部３８が設けられている。ここで、ブッシング３１の小サイズ外壁面近似部３８は、前述のように、接続体１１の突出部２４の端面２４ａに沿うものでもあるので、突出部端面近似部３９と言うこともできる。小サイズ外壁面近似部３８と内挿部３４との境界部分の上面には、ブッシング３１の幅方向に直線状の凹溝４０が形成されており、この部分に沿ってカッター等で切断することにより、係止部３７を小サイズ外壁面近似部３８とともに分離除去できるようになっている。ブッシング３１における図７(b)の下側の接続口取着部３２ｂは、大サイズの長尺保護体５１の外壁面５６と近似する外面形状からなる長尺保護体外壁面近似部４１を有しており、その長尺保護体外壁面近似部４１は下側の接続口取着部３２ｂの外面においてケーブルＣの挿通方向即ち上下方向の全長に至って形成されている。但し、長尺保護体外壁面近似部４１は下側の接続口取着部３２ｂの外面においてケーブルＣの挿通方向の一部に形成されていてもよい。
【００２５】
ブッシング３１の内挿部３４は、小サイズ外壁面近似部３８と引出口形成部３３との間に設けられ、大サイズの長尺保護体５１の内壁面５７と近似する外面形状からなる長尺保護体内壁面近似部４２を有しており、その長尺保護体内壁面近似部４２は内挿部３４の外面においてケーブルＣの挿通方向即ち上下方向の全長に至って形成されている。但し、長尺保護体内壁面近似部４２は内挿部３４の外面においてケーブルＣの挿通方向の一部に形成されていてもよい。なお、直線状の凹溝４０において係止部３７を小サイズ外壁面近似部３８とともに切除した後は、内挿部３４が接続口取着部３２側の最端部と成り、この内挿部３４を大サイズの長尺保護体５１の他端部５４の引出開口５５に挿入することによりブッシング３１を大サイズの長尺保護体５１の他端部５４に取着することが可能となる。
【００２６】
引出口形成部３３は、下方に向かうに従って先窄まりとなり、下部の先端には引出口４３が形成されていて、この引出口４３からケーブルＣが引き出され外部に露出するようになっている。引出口形成部３３の中間部分には幅方向に直線状の凹溝４４が所定間隔をおいて複数形成されており、凹溝４４に沿って切断することにより大きさの異なる複数種の引出口４３が形成され、各種径のケーブルＣの引き出しに対応できるようになっている。
【００２７】
次に、長尺保護体は、壁孔７２から所定距離離間した位置に至ってケーブルＣを収容して保護するものであり、大きさの異なる大小二種類のサイズの長尺保護体即ち大サイズの長尺保護体５１及び小サイズの長尺保護体５２が用いられている。両長尺保護体は高さが同一で幅が異なっている。図８は大サイズの長尺保護体５１を示し、図９は小サイズの長尺保護体５２を示す。各長尺保護体は合成樹脂材からなり、断面形状一定の直状のダクト状の保護カバーで形成され、所定長さを有するが、中間位置で切断することにより任意の長さに形成することができる。
【００２８】
各長尺保護体は、ベース体５８とカバー体６１との２分割体で構成されている。ベース体５８は平坦面からなる底壁５９を備え、この底壁５９の背面は壁面７１と当接する当接面となっている。底壁５９の幅方向の両端には全長に至って所定形状の側壁６０が立設されている。カバー体６１は平板状の天壁６２を備えるとともに、天壁６２の幅方向の両端には全長に至って所定形状のフランジ６３が斜め下方に向けて延設されている。ベース体５８の側壁６０の上端部には全長に至って係合部６０ａが形成され、カバー体６１のフランジ６３の下端部には全長に至ってベース体５８の係合部６０ａと係合する被係合部６３ａが形成されており、互いを係合することによってベース体５８とカバー体６１とを組付けられるようになっている。この長尺保護体を壁面７１に固定するには、ベース体５８の底壁５９に設けた挿通孔５９ａに螺子を挿通して壁面７１に螺着することによりベース体５８を壁面７１に固定した後、カバー体６１をベース体５８に対してそのまま前方から強制的に押し付け、係合部６０ａと被係合部６３ａとを弾性的に係合させて組付ければよい。なお、ベース体５８は、底壁５９の背面に両面接着テープを貼着し、壁面７１に貼着することにより固定することもできる。
【００２９】
（組付け）
次に、上記のように構成された引出部形成装置１の各種の組付けについて説明する。
本実施形態の引出部形成装置１は、図１に示すように、ブッシング３１を接続体１１に取着することができ、また、接続体１１に取着した長尺保護体の他端部に取着することもできる。更に、図１において示さないが、ブッシング３１を長尺保護体の両端部に取着することもできる。
【００３０】
具体的には、まず、ブッシング３１を接続体１１に取着する場合は、最初に、壁面７１に接続体１１を取付固定する。それには、壁孔７２からケーブルＣを引き出した後、接続体１１の基台１４の引込口１５内にケーブルＣを挿入して引き込み、基台１４の挿通孔１７に固定螺子を挿通し、壁面７１に螺着する。次いで、接続体１１の基台１４に対してその前方から蓋体２１をあてがい、基台１４の背面に沿って僅かに移動させて組付ける。組付後は、基台１４の係合フランジ２０と蓋体２１の係合突起２６とが係合し、蓋体２１が基台１４から離脱するのが防止される。なお、ブッシング３１の背面３５は、カッター等で切割溝３６に沿って切断し切割開口を形成しておく。また、ケーブルＣの外径に応じてブッシング３１の引出口形成部３３を凹溝４４に沿って切断し、引出口４３からケーブルＣを引き出せるようにしておく。
【００３１】
壁面７１に接続体１１が固定されたら、ブッシング３１の背面３５の切割開口から内部にケーブルＣを押し込みつつ、ブッシング３１の接続口取着部３２を接続体１１の接続口１２に内挿し、ブッシング３１の係止部３７を接続体１１の被係止部２５である突出部２４の奥側に強制的に押し込んで突出部２４に係止させる。このとき、ブッシング３１の内挿部３４の先端が接続体１１の下端部の突片１９と当接し、ブッシング３１の接続口取着部３２が必要以上に接続体１の内部に挿入されるのを防止している。このようにして、接続口取着部３２を接続体１１の接続口１２内に強制的に押し込むだけでブッシング３１を接続体１１に取着でき、この箇所に接続体１１から引き出されるケーブルＣの引出部が形成される。なお、必要に応じてブッシング３１の引出口形成部３３の背面３５に両面接着テープを貼着しておけば、ブッシング３１をより安定して壁面７１に沿って取付けることができる。
【００３２】
接続体１１にブッシング３１を取着した状態においては、図１０に示すように、ブッシング３１の係止部３７が接続体１１の突出部２４に係止してブッシング３１が接続体１１から離脱するのが防止されるとともに、ブッシング３１の小サイズ外壁面近似部３８でもある突出部端面近似部３９の外面が接続体１１の突出部２４の先端の端面２４ａに当接或いは近接して、突出部端面近似部３９の外面と突出部２４の端面２４ａとの間が閉塞され、両者間に隙間が生じるのが防止される。
【００３３】
次に、接続体１１に大サイズの長尺保護体５１の一端部５３を接続し、その大サイズの長尺保護体５１の他端部５４にブッシング３１を取着する場合は、最初に、前記ブッシング３１の取着の場合と同様に、固定螺子を介して接続体１１を壁面７１に取付固定する。そして、大サイズの長尺保護体５１は、予め、ベース体５８の底壁５９の背面に両面接着テープを貼着しておく。そこで、ベース体５８上にケーブルＣを載置し、ベース体５８の前方からカバー体６１を押し付けてベース体５８の側壁６０の係合部６０ａとカバー体６１の被係合部６３ａとを強制的に係合させて組付け、大サイズの長尺保護体５１の内部にケーブルＣを収容する。続いて、大サイズの長尺保護体５１の一端部５３を壁面７１に沿って平行移動させつつ接続体１１の開口１３から接続口１２内に先端が接続体１１の突出部２４に当接するまで挿入し、ベース体５８の底壁５９に貼着した両面接着テープを壁面７１に貼着する。これにより、接続体１１に大サイズの長尺保護体５１が取着される。
【００３４】
なお、接続体１１への大サイズの長尺保護体５１の取着は以下のようにして行なうこともできる。即ち、まず、接続体１１の接続口１２内にベース体５８を先端が接続体１１の突出部２４に当接するまで挿入し、ベース体５８の挿通孔５９ａに螺子を挿通し壁面７１に螺着して最初にベース体５８のみを壁面７１に固定する。次に、ベース体５８上にケーブルＣを載置し、カバー体６１を前方から押し付けてベース体５８の係合部６０ａとカバー体６１の被係合部６３ａとを強制的に係合させて組付ける。次いで、カバー体６１のみをその先端が接続体１１の突出部２４に当接するまでベース体５８に沿って僅かに平行移動させることにより取着することもできる。このとき、ベース体５８の幅は接続体１１の内面２２の内側寸法と略同一に形成されているので、ベース体５８は接続体１１の接続口１２に対して横ずれすることなく一定位置に保持されるから、ベース体５８を接続体１１の接続口１２に内挿した後でも、カバー体６１のみを円滑に接続体１１の接続口１２内に挿入することができる。
【００３５】
接続体１１に大サイズの長尺保護体５１の一端部５３を取着した状態においては、前述のように、接続体１１の接続口１２の内面２２は大サイズの長尺保護体５１の外壁面５６に沿う形状に形成されているから、図１１(c)に示すように、大サイズの長尺保護体５１の外壁面５６は接続体１１の接続口１２の内面２２に当接或いは近接して、大サイズの長尺保護体５１の外壁面５６と接続体１１の内面２２との間に隙間が生じるのが防止される。
【００３６】
続いて、大サイズの長尺保護体５１の他端部５４にブッシング３１を取着する。それには、まず、カッター等を使用してブッシング３１の接続口取着部３２の凹溝４０に沿って切断して係止部３７を小サイズ外壁面近似部３８とともに除去し、内挿部３４を接続口取着部３２における最端部に位置させる。また、ブッシング３１の背面３５は、カッター等で切割溝３６に沿って切断し切割開口を形成しておく。
【００３７】
この状態で、ブッシング３１の背面３５の切割開口から内部にケーブルＣを押し込みつつ、ブッシング３１の内挿部３４を大サイズの長尺保護体５１の他端部５４の引出開口５５内に挿入し、ブッシング３１の内挿部３４と隣接する引出口形成部３３側の接続口取着部３２ｂの端部が大サイズの長尺保護体５１の他端部５４の端部に当接するまで押し込む。これにより、ブッシング３１を大サイズの長尺保護体５１の他端部５４に取着でき、この箇所に大サイズの長尺保護体５１の他端部５４から引き出されるケーブルＣの引出部が形成される。なお、必要に応じてブッシング３１の引出口形成部３３の背面３５に両面接着テープを貼着しておけば、ブッシング３１をより安定して壁面７１に沿って取着することができる。また、ブッシング３１の内挿部３４の外面に両面接着テープを貼着し、大サイズの長尺保護体５１の内面２２に接着してもよい。
【００３８】
大サイズの長尺保護体５１にブッシング３１を取着した状態においては、ブッシング３１の内挿部３４が大サイズの長尺保護体５１の内壁面５７と近似する外面形状からなる長尺保護体内壁面近似部４２を有しているので、図１１(d)に示すように、ブッシング３１の内挿部３４の外面は、大サイズの長尺保護体５１の内壁面５７に当接或いは近接して、ブッシング３１の内挿部３４の外面と大サイズの長尺保護体５１の内壁面５７との間に隙間が生じるのが防止される。
【００３９】
次に、接続体１１に小サイズの長尺保護体５２の一端部５３を接続する場合について説明する。本実施形態の引出部形成装置１は、接続体１１に小サイズの長尺保護体５２の一端部５３を接続することもできる。それには、最初に、接続体１１の基台１４の下端部を切込溝１９ａに沿って切断し平板状の突片１９を除去する。そして、接続体１１への大サイズの長尺保護体５１の接続の場合と同様に、固定螺子を介して壁面７１に接続体１１を固定する。また、小サイズの長尺保護体５２は、予め、ベース体５８の底壁５９の背面に両面接着テープを貼着しておく。
【００４０】
この状態で、ベース体５８上にケーブルＣを載置してからカバー体６１を組付けて小サイズの長尺保護体５２の内部にケーブルＣを挿通した後、壁面７１に沿って平行移動させて小サイズの長尺保護体５２の一端側５３を接続体１１の開口１３から接続口１２内に挿入し、図１２に示すように、小サイズの長尺保護体５２の先端が接続体１１における突片１９を切除した後の切込溝１９ａの位置に形成されている端部に当接するまで押し込み、ベース体５８の背面の両面接着テープを壁面７１に貼着する。これにより、接続体１１に小サイズの長尺保護体５２が取着される。
【００４１】
接続体１１に小サイズの長尺保護体５２の一端部５３を取着した状態においては、接続体１１の突出部２４の先端の端面２４ａが小サイズの長尺保護体５２の外壁面５６に沿う形状に形成されているから、図１２(b)に示すように、小サイズの長尺保護体５２の外壁面５６は接続体１１の突出部２４の端面２４ａに当接或いは近接して、小サイズの長尺保護体５２の外壁面５６と接続体１１の突出部２４の端面２４ａとの間に隙間が生じるのが防止される。また、小サイズの長尺保護体５２は常に接続体１１の幅方向中央の一定位置に取着される。
【００４２】
次に、図１において図示していないが、本実施形態の引出部形成装置１は、適用頻度は少ないものの、大サイズの長尺保護体５１の他端部５４に加えて一端部５３にもブッシング３１を接続する態様に組付けて使用することもできる。即ち、大サイズの長尺保護体５１は全長に至って断面形状が一定であり、一端部５３の内壁面５７と他端部５４の内壁面５７とは同一断面形状に形成されているから、ブッシング３１は大サイズの長尺保護体５１の一端部５３と他端部５４とのそれぞれに計２個取着することもできる。
【００４３】
ところで、上記実施形態においては、ブッシング３１の内挿部３４は、接続口取着部３２の係止部３７を凹溝４０に沿って切断除去することにより接続口取着部３２側の最端部と成し、大サイズの長尺保護体５１の引出開口５５に内挿できるものとしているが、当初から係止部３７が形成されておらず、接続口取着部３２側の最端部に内挿部３４が形成されているものとすることもできる。
【００４４】
また、上記実施形態においては、接続体１１へのブッシング３１の取着は、ブッシング３１の接続口取着部３２の係止部３７を接続体１１の突出部２４に係止させることにより行なっているが、上述のように、接続口取着部３２の係止部３７を凹溝４０に沿って切断除去することによって内挿部３４を接続口取着部３２側の最端部と成し、或いは、当初より内挿部３４を接続口取着部３２側の最端部と成している場合、即ちブッシング３１に係止部３７が設けられていない場合には、ブッシング３１の引出口形成部３３側の接続口取着部３２ｂやブッシング３１の背面３５或いは接続体１１の接続口１２の内面２２に両面接着テープを貼着し、図１３に示すように、前記ブッシング３１の接続口取着部３２ｂを接続体１１の接続口１２の内部にまで挿入して、両面接着テープによってブッシング３１の接続口取着部３２ｂを接続体１１の内面２２に接合させることで、ブッシング３１を接続体１１に取着することもできる。
【００４５】
（作用）
次に、上記のように構成された本実施形態の引出部形成装置１の作用を説明する。
引出部形成装置１は、接続体１１の接続口１２にブッシング３１の接続口取着部３２を内挿して取着することで、接続体１１から引き出されるケーブルＣの引出部を形成できるとともに、大サイズの長尺保護体５１の他端部５４にブッシング３１の内挿部３４を内挿して取着することで、大サイズの長尺保護体５１の他端部５４から引き出されるケーブルＣの引出部を形成できる。つまり、ケーブルＣを壁孔７２から引き出された箇所から直ちに露出配線する場合、及びケーブルＣを壁孔７２から引き出した後大サイズの長尺保護体５１内に配線してから露出配線する場合のいずれにおいても、一種類のブッシング３１を兼用してケーブルＣを保護する引出部を形成できる。これにより、引出部形成装置１の部品の取り扱いや管理が楽になり、装置コストも低減できる。
【００４６】
また、ブッシング３１の接続口取着部３２の小サイズ外壁面近似部３８の外面は、接続体１１の接続口１２の突出部２４の端面２４ａに沿うので、接続体１１に小サイズの長尺保護体５２を取着することもでき、かつ、接続体１１において常に幅方向中央の一定位置に取着することができる。したがって、この引出口形成装置１によれば、各種の組付態様が得られる。
【００４７】
しかも、接続体１１の接続口１２の内面２２は、大サイズの長尺保護体５１の外壁面５６に沿うとともに、ブッシング３１の長尺保護体外壁面近似部４１でもある接続口取着部３２ｂの外面にも沿うから、取着後に、接続体１１の接続口１２の内面２２と大サイズの長尺保護体５１の外壁面５６との間、及び接続体１１の接続口１２の内面２２とブッシング３１の長尺保護体外壁面近似部４１の外面との間に隙間を生じない。
また、ブッシング３１の内挿部３４は、大サイズの長尺保護体５１の内壁面５７と近似する外面形状からなる長尺保護体内壁面近似部４２を有するので、ブッシング３１の内挿部３４の外面と大サイズの長尺保護体５１の内壁面５７との間にも隙間を生じない。
更に、接続体１１の突出部２４の端面２４ａは、ブッシング３１の小サイズ外壁面近似部３８の外面に沿うとともに、小サイズの長尺保護体５２の外壁面５６にも沿うから、接続体１１の突出部２４の端面２４ａとブッシング３１の小サイズ外壁面近似部３８の外面との間、及び接続体１１の突出部２４の端面２４ａと小サイズの長尺保護体５２の外壁面５６との間も隙間を生じない。
したがって、取着後にこれらの部材間から外部の塵埃等がこれらの部材内に侵入するのを防止することができる。
【００４８】
加えて、ブッシング３１の接続口取着部３２ａには係止部３７が設けられ、接続体１１の接続口１２には、係止部３７が係止する被係止部２５としての突出部２４が設けられているので、係止部３７を接続体１１の接続口１２に挿入するだけでブッシング３１を接続体１１に取着でき、取着後はブッシング３１が接続体１１から離脱するのを防止することができる。なお、ブッシング３１の係止部３７はこれを切除すれば、内挿部３４がブッシング３１の接続口取着部３２側の最端部と成り、この内挿部３４を大サイズの長尺保護体５１の他端部５４に内挿してブッシング３１を取着することができる。
ここで、接続体１１の被係止部２５は突出部２４で形成されているので、簡易な構成で簡単に被係止部２５を形成できる。
【００４９】
また、ブッシング３１の引出口形成部３３側の接続口取着部３２ｂは、大サイズの長尺保護体５１の外壁面５６と近似する外面形状からなる長尺保護体外壁面近似部４１を有するので、ブッシング３１を大サイズの長尺保護体５１に取着したとき、ブッシング３１の長尺保護体外壁面近似部４１を有する接続口取着部３２ｂの外面と大サイズの長尺保護体５１の外壁面５６とは略均一面となる状態で接続される。このため、この取着部はすっきりと見栄えのよい外観となる。
【００５０】
（変形例等）
ところで、上記実施形態のブッシング３１は、小サイズ外壁面近似部３８と内挿部３４との境界部に形成された直線状の凹溝４０において係止部３７を小サイズ外壁面近似部３８とともに水平方向に切除することにより、内挿部３４が接続口取着部３２側の最端部と成っているが、両側方に膨出して形成されている係止部３７のみを図７(b)の垂直方向にそぎ落とすように切除することによって、係止部３７が切除された接続口取着部３２ａも内挿部３４の一部として形成されるものとすることもできる。この場合、係止部３７が切除されることによって形成された前記内挿部３４の外面も大サイズの長尺保護体５１の内壁面５７の形状に沿う外面形状に形成することが必要である。これによって、接続口取着部３２ａに形成された内挿部３４の先端は、接続口取着部３２側の最端部と成り、大サイズの長尺保護体５１の引出開口５５内に内挿することができる。
【００５１】
また、上記実施形態の接続体１１の突出部２４は、接続口１２の左右の側面２３に設けられているが、長尺保護体の高さが上記各実施形態の長尺保護体より小さい場合は、接続体１１の突出部２４は、接続口１２の左右の側面２３のみでなく内面２２の周方向の全体に至って突設されたもの、即ち上端部同士が連結されて上辺部も備えたコ字板状の突片に形成されたものとしてもよい。
【００５２】
或いは、接続体１１の突出部２４は、ブッシング３１の係止部３７が係止する被係止部２５として機能するとともに、小サイズの長尺保護体５２を取着したときの両者間の隙間を閉塞する作用を奏する他、大サイズの長尺保護体５１を挿入する際の突き当て部としても作用するが、両面接着テープを貼着して接続体１１からのブッシング３１の離脱を防止したり、小サイズの長尺保護体５２の外壁面５６に接続体１１の接続口１２との隙間を閉塞する図示しない隙間閉塞部材を取付けたり、大サイズの長尺保護体５１を特に支障なく接続体１１の接続口１２の適宜位置まで挿入できるような場合には、突出部２４は設けないものとすることもできる。この場合、ブッシング３１の小サイズ外壁面近似部３８でもある突出部端面近似部３９は不要となる。
【００５３】
更に、上記実施形態の接続体１１は、ブッシング３１の係止部３７に係止する被係止部２５を突出部２４で形成しているが、図１４に示すように、係止部３７の両側方への張出量を大きくするとともに、接続体１１の接続口１２の奥側で接続体１１の内面２２より両側方に突出し拡張する左右一対の段部２７，２７を設け、係止部３７をこの段部２７に係止させるようにして、この段部２７で形成してもよい。
【００５４】
そして、上記実施形態の大きさの異なる二種類の長尺保護体は、互いに高さは同一で幅が異なるものであるが、幅は同一で高さが異なるもの、或いは幅と高さの双方が異なるものである場合にも、同様に適用することができる。
【００５５】
また、長尺保護体は、ベース体５８とカバー体６１とを組付ける２分割体で構成されているが、角筒等の筒状に一体物で形成したものであってもよい。ここで、長尺保護体を２分割体で構成した場合は、カバー体６１を取り外すことによってケーブルＣをベース体５８の上方から載置し長尺保護体内に配線することができるのに対し、筒状に形成した場合は、長尺保護体の一端側の開口からケーブルＣを送り込んで内部を挿通させ、他端側から引き出すことになる。
【００５６】
加えて、上記実施形態の引出部形成装置１は、ブッシング３１の係止部３７を接続体１１の被係止部２５に係止させたり、ブッシング３１の接続口取着部３２ｂや背面３５に両面接着テープを貼着して接着固定することにより、ブッシング３１を接続体１１に取着し接続しているが、切除等によって係止部３７のない状態などにおいて、ブッシング３１の接続口取着部３２ｂを接続体１１の接続口１２内に圧入することによって取着し、ブッシング３１の接続口取着部３２ｂと接続体１１の接続口１２の内面２２との間に生じる摩擦力によって離脱を防止することも可能である。
【００５７】
上記実施形態の接続体１１は、壁孔７２から引き出されるケーブルＣの屈曲部を覆うように保護し、壁面７１に沿うように配線すべく、１つの接続口１２が設けられているが、これに限られるものではなく、壁孔７２から引き出される箇所以外において配設された、同一平面上で分岐するチーズ、屈曲するエルボ、直線状のソケットなどのように、複数の長尺保護体を接続すべく複数の接続口１２が設けられたものであってもよい。
【００５８】
なお、上記実施形態では、配線・配管材としてケーブルＣが用いられているが、本発明は、他の電線等の配線材や通水管等の配管材の場合にも同様に適用できることは言うまでもない。
【符号の説明】
【００５９】
１    引出部形成装置                  ３８    小サイズ外壁面近似部
１１    接続体                          ３９    突出部端面近似部
１２    接続口                          ４１    長尺保護体外壁面近似部
２２    内面                            ４２    長尺保護体内壁面近似部
２４    突出部                          ５１    大サイズの長尺保護体
２４ａ  端面                            ５２    小サイズの長尺保護体
２５    被係止部                        ５３    一端部
３１    ブッシング                      ５４    他端部
３２、３２ａ、３２ｂ  接続口取着部      ５６    外壁面
３３    引出口形成部                    ５７    内壁面
３４    内挿部                          ７１    壁面
３７    係止部                            Ｃ    ケーブル
【図１】
0005462123.tif 000002
【図２】
0005462123.tif 000003
【図３】
0005462123.tif 000004
【図４】
0005462123.tif 000005
【図５】
0005462123.tif 000006
【図６】
0005462123.tif 000007
【図７】
0005462123.tif 000008
【図８】
0005462123.tif 000009
【図９】
0005462123.tif 000010
【図１０】
0005462123.tif 000011
【図１１】
0005462123.tif 000012
【図１２】
0005462123.tif 000013
【図１３】
0005462123.tif 000014
【図１４】
0005462123.tif 000015